【事件の表示】
　平成　８年特許願第５１２９８７号「インテリジェントデジタルオーディオビジュアル再生システム」拒絶査定不服審判事件〔平成　８年　４月２５日国際公開、ＷＯ９６／１２２５８、平成１０年　７月２１日国内公表、特表平１０−５０７５４４号〕について、次のとおり審決する。
【結　論】
　本件審判の請求は、成り立たない。
【理　由】
１．手続の経緯及び本願発明
　本願は、平成７年１０月１２日の出願（パリ条約による優先権主張１９９４年１０月１２日、仏国）を国際出願日とする出願であって、平成１８年５月１日付けで拒絶査定がなされ、これに対し、平成１８年８月１４日に拒絶査定不服審判の請求がなされるとともに、平成１８年９月１２日付けで明細書についての手続補正がなされたが、その後当審において、平成２０年５月２９日付けで前記平成１８年９月１２日付けの手続補正が却下されるとともに最後の拒絶理由が通知され、それに応答して平成２０年１２月２日付けで手続補正がなされたものである。
　
　本願の請求項１に係る発明（以下、同項記載の発明を、「本願発明」という）は、平成２０年１２月２日付けの手続補正書により補正された特許請求の範囲に記載された事項により特定される次のとおりのものであると認める。
「【請求項１】
　ユーザからの支払いによって作動され、支払い装置に結合され、マイクロプロセッサ装置を備え、前記マイクロプロセッサ装置は一方では、活用すべきオーディオビジュアル情報を圧縮されたディジタル形式で記憶するための大量記憶手段を含み、他方では、インタフェースを介して映像化ディジタル手段と音声再生ディジタル手段とを制御管理することによりマルチメディア領域を作ることが可能になる、オーディオビジュアル再生システムであって、映像化ディジタル手段は、ビデオモニタ、またはテレビスクリーンおよびタッチスクリーンと、外部事象に反応し、統合されたツールサービスライブラリのグラフィックモジュールを介してオーディオビジュアル再生システムの動作パラメータの変更を提供するウィンドウまたはフレームのディスプレイを作動する事象として、マルチタスクオペレーティングシステムの外部事象を解釈するインタフェースプログラムとを備え、前記外部事象が、タッチスクリーン上のユーザの指の場所とグラフィックモジュールにより表示される少なくとも１つの表示位置との一致を解釈する少なくとも１つの押さえ事象と、記憶手段に動作パラメータを記憶することにより少なくとも１つの動作パラメータの変更を作動するタッチスクリーンからの指の除去を解釈する少なくとも１つのゆるめ事象とを備えることを特徴とするオーディオビジュアル再生システム。」（平成１７年１２月２１日付け手続補正書の【請求項１】と同じ。）
　
２．当審の拒絶理由
　一方、当審において平成２０年５月２９日付けで通知した拒絶の理由の概要は、本願発明は、本願の優先権主張の日前の平成５年９月１６日に頒布された「国際公開第９３／１８４６５号 」（以下，「引用例１」という。）、特開平５−２８７１９号公報（以下，「引用例２」という。）及び特開平５−２７９３５号公報（以下、「引用例３」という。）に記載された発明に基づいて当業者が容易に発明をすることができたものであるから、特許法２９条２項の規定により特許を受けることができない、というものである。
　
３．引用例の記載事項
（引用例１）
　翻訳文については引用例１の米国特許出願を優先権主張の基礎として日本に出願した特許出願の内容を公開した特表平７−５０４５１７号公報の記載を参考に当審で付したものである。
前記公報の対応箇所も参考までに付したが、記載した翻訳文は公報の記載と必ずしも一致するものではない。
（ア）「Specifically, the central management system 11 includes a host computer 21 which maintains a master library 23 of songs and associated graphics which are stored in a compressed digital form in a bulk storage unit 25. The bulk storage unit 25 is capable of storing vast amounts of digital data, and may be take the form of a read-write optical storage device. The host computer 21 indexes the master library 23 by using a master catalog 27 which is also maintained in the bulk storage unit 25.」（第５頁第２５行〜第３４行）
「特に、中央管理システム１１は、大容量記憶装置２５に圧縮されたデジタルの形態で記憶されている歌曲と付随するグラフィックのマスター・ライブラリー２３を記憶するホスト・コンピュータ２１を具備している。
大容量記憶装置２５は大容量のデジタル・データを記憶できて且つ読取−書き込み光記憶デバイス形態で有っても良い。」（第４頁左上欄第２１行〜第２５行）
（イ）「Returning to Fig. 1, each computer jukebox 13 plays songs and displays graphics which are stored locally in the large-volume data storage unit 93.
The storage unit 93 of the jukebox 13 contains a subset of the songs found in the master library 27 maintained by the central management system 11.
More specifically, the storage unit 93 of the jukebox 13 stores a song library 91 which is a corresponding subset of the master library 27. The song library 91 contains all of the currently available song selections and associated pictorial graphics for the jukebox 13. The storage unit 93 also stores a catalog 95 that is an index into the local song library 91. The catalog 95 is similar to the master catalog 23. Both the song library 91 and associated catalog 95 are monitored and updated by the central management system 11 as needed via the transmission link 15. 
The jukebox 13 permits this monitoring and updating at any time with no impact on its end-user performance.The jukebox 13 also includes a processing circuit 121 which contains a microprocessor 121A, read only memory (ROM) 121B and random access memory (RAM) ) 121C. As in conventional computer systems, the microprocessor 121A operates in accordance with the software program contained in the ROM 121B and utilizes the RAM 121C for scratch-pad memory. The processing circuit 121 may also contain a decompression circuit (not shown) or may perform decompression using a software algorithm stored in the ROM 121B depending on the type of data compression scheme used by the central management system 11. In either case, decompression is necessary to decompress the compressed data received from the central control system 11 so that the song can be played and associated graphics image displayed.
　The processing circuit 121 controls the operation and flow of data into and out of the jukebox 13 through the modem 19 via. a bus 124.
　Using the bus 124, the processing circuit 121 also controls a visual display 125, one or more selection keys 123 and a coin/bill detector 126 to provide the user with an interactive interface to the jukebox 13. The keys 123 provide signals representing user inputs such as displayed song selection. The display 125 displays alpha numeric information as well as pictorial graphics to interface with the user. The coin/bill detector 126 is responsive to one or more coins or bills input by a customer to determine whether the proper amount of money has been input and to provide money detect signals coupled to the processing circuit. The processing circuit 121 further controls, via the bus 124, an audio reproduction circuit 127 coupled to a speaker system 129 along a bus 131 to provide an audio output to the user.」（明細書第８頁第３１行〜第１０頁第１１行）
「図１に戻ると、各々コンピュータ・ジュークボックス１３は、大容量データ記憶装置９３で局部的に記憶されている、歌曲を演奏しグラフィックを表示する。ジュークボックス１３の記憶装置９３は、中央管理システム１１に依って記憶されているマスター・ライブラリー２７で見い出されたサブセットの歌曲を搭載している。
更に特に、ジュークボックス１３の記憶装置９３は、マスターライブラリー２７の対応するサブセットである歌曲ライブラリー９１を記憶している。歌曲ライブラリー９１は、ジュークボックス１３に対して今使用可能な歌曲セレクションと付随する絵素グラフィックのすべてを搭載している。記憶装置９３は、ローカル歌曲ライブラリー９１のインデックスであるカタログ９５も記憶している。カタログ９５はマスターカタログ２３と似ている。歌曲ライブラリー９１と付随するカタログ９５は、共に伝送リンク１５を介して必要におうじて中央管理システム１１に依ってモニターされ且つ更新される。
ジュークボックス１３は、いつでも、そのユーザー機能を損ねずに、このモニターと更新を可能にする。
ジュークボックス１３は、マイクロプロセッサー１２１Ａと読取専用メモリ（ＲＯＭ）１２１Ｂとランダム・アクセス・メモリ（ＲＡＭ）１２１Ｃを搭載する処理回路１２１も具備している。通常のコンピューターシステムのように、マイクロプロセッサー１２１Ａは、ＲＯＭ１２１Ｂに搭載されているソフトウェア・プログラムに従って作動し、スクラッチパッド・メモリに適したＲＡＭ１２１Ｃを活用する。
処理回路１２１は、圧縮解除回路（図示されていない）も搭載する場合もあり、また中央管理システム１１に依って用いられるデータ圧縮スキーマのタイプに基づいてＲＯＭ１２１Ｂに記憶されているソフトウェア・アルゴリズムを用いて圧縮解除も実行できる。何れのケースでも、圧縮解除は、歌曲を演奏し且つ付随するグラフィック・イメージを表示するるために、中央管理システム１１から受信された圧縮データの圧縮解除に必要となる。処理回路１２１はバス１２４からモデム１９を経由してジュークボックス１３に出入りするデータのオペレーションと流れを制御する。バス１２４を用いて、処理回路１２１は、ビジュアル・ディスプレイ１２５と１つまたは複数の選択キー１２３とコイン／紙幣検出器１２６も制御して、ユーザーにジュークボックス１３との対話インターフェースを提供する。
キー１２３は、演奏される歌曲セレクションのようなユーザ入力を示す信号を与える。ディスプレイ１２５は、英数字インフォメーションだけでなく絵素グラフィックも表示して、ユーザーと交信する。
コイン／紙幣検出器１２６は、顧客に依って入力される１つまたは複数のコインまたは紙幣に応答して、適正な金銭が入力されたかどうかについて決定し、なおかつ、処理回路に結合されている金銭検出信号を与える。処理回路１２１は、バス１３１に沿ってスピーカー・システム１２９に結合されている音響再生回路１２７を、バス１２４を介して更に制御して、音響出力をユーザーに提供する。」（第４頁右下欄第２９行〜第５頁右上欄第１４行）
（ウ）「The data sent from the jukebox to the management station may also include customer requests for new songs, a customer utilizing the display and keyboard of the jukebox 13 to enter song request data as discussed below.」（明細書第１０頁第２５行〜第３０行）
　「ジュークボックスから管理ステーションに送られたデータは新曲に対する顧客の要請も含んでいるので、顧客はジュークボックス１３のディスプレイとキーボードを使用して次に説明される歌曲要請データを入力できる。」（第５頁右上欄第２５行〜第２８行）
（エ）「Afterwards, at a block 113, the central management system 11 downloads the compressed digital data of the song to the jukebox 13. At a corresponding block 147, the jukebox 13 receives and writes the data into the song library 91.」（明細書第１１頁第１５行〜第１９行）
「後に、ブロック１１３で、中央管理システム１１は歌曲の圧縮されたデジタル・データをジュークボックス１３にダウンロードする。対応するブロック１４７でジュークボックス１３はデータを受信して歌曲ライブラリー９１に書き込む。」（第５頁左下欄第１６行〜第１９行）
（オ）第１図にはマイクロプロセッサー１２１Ａを含む処理回路１２１に、大容量データ記憶装置９３、コイン／紙幣検出器１２６、キーボード１２３、ディスプレイ１２５、音響再生回路１２７、スピーカーシステム１２９が接続された図が記載されている。
　
　これら記載事項を総合し、本願発明の記載ぶりに則って整理すると、引用例1には、次の発明（以下、「引用発明１」という）が記載されている。
「顧客に依って入力される１つまたは複数のコインまたは紙幣に応答して、適正な金銭が入力されたかどうかについて決定し、なおかつ、処理回路に結合されている金銭検出信号を与え、処理回路１２１は、バス１３１に沿ってスピーカ・システム１２９に結合されている音響再生回路１２７を、バス１２４を介して更に制御して、音響出力をユーザーに提供するマイクロプロセッサー１２１Ａを備え、前記マイクロプロセッサー１２１Ａは一方では、歌曲を演奏し且つ付随するグラフィック・イメージのデータを圧縮されたデジタル形態で記憶するための大容量データ記憶装置９３と接続され、他方では、インタフェースを介してビジュアル・ディスプレイ１２５とスピーカー・システム１２９とを制御管理することにより歌曲を演奏し且つ付随するグラフィック・イメージを表示することが可能になる、ジュークボックスであって、ビジュアル・ディスプレイ１２５およびキーボード１２３を備えたジュークボックス。」
　
（引用例２）
（ア）「図１３は、タイプ４の埋め込み画像として、ＣＤに収録している各曲の曲内容  をイメージした各曲１つずつのアイコンシンボル２を表示一体型タッチパネル１上に表示したものである。表示一体型タッチパネル１は例えばカラーＣＲＴ、カラーＬＣＤ等で構成された表示器上に、多数の透明スイッチ等のタッチセンサをマトリクス状に配したタッチパネルを貼り付けて構成されている。各アイコンシンボル２を表示する枠５内には、図１３中に拡大して示すように、文字コード情報による曲番情報３および曲タイトル情報４が表示される。また、表示一体型タッチパネル１の画面の上部の文字表示部６には文字コード情報によるディスクタイトル情報や現在再生している曲の曲内容に関する文字表示がなされる。また画面の右部には音量ボリウムつまみ表示７および各種コントロールボタン表示８がなされる。
　表示一体型タッチパネル１ではアイコンシンボル２が表示された枠５内のいずれかの部分を指等でタッチする（触れるまたは押す）と（またはタッチした後再生操作をすると）、そのタッチがタッチセンサで検出されて、その曲の再生指令が出される。また、音量ボリウムつまみ表示７を指でタッチして上または下へスライドさせることにより音量調節指令が出される。また、各種コントロールボタン表示８を指でタッチすることにより、再生、ポーズ、スキップ、サーチ、ストップ等の各種動作指令が出される。　次に、上記図１３の表示一体型タッチパネル１を使用してタイプ４によるアイコンシンボル表示およびそのタッチ検出による各種動作を実現するこの発明のＣＤ再生装置の一実施例を説明する。」
（段落【００５４】〜【００５５】）
（イ）「表示一体型タッチパネル９０上の各種操作情報は、文字／画像デコーダ兼用コントローラユニット１２５に送られて、これら操作内容に対応した各種制御が実行される。」（段落【００７７】）
（ウ）「【変更例】
　前記実施例では単一のＣＤを扱う場合について示したが、複数枚のＣＤを装着して再生するオートチェンジャ機能付きのＣＤ再生装置にも適用することができる。その場合は、図１５に示すようにディスク番号（ＣＤ収納位置の番号で、ここでは５枚のＣＤを収納した場合について示している）ごとにウィンドウ１７１〜１７５を表示一体型タッチパネル１上に重ねて表示し、選択したディスクのウィンドウ（ここではディスク５を選択）がいちばん上に表示される。そして、この表示されたウィンドウ上のアイコンシンボル２のうち聴きたいものを指でタッチすることにより、その曲がサーチされて再生される。別のＣＤを聴きたければ、該当するウィンドウを指でタッチする。これにより、そのウィンドウが最上部表示されるとともに、そのディスクが再生位置にローディングされて、前記同様アイコンシンボルのタッチにより、選曲することができる。再生中の曲のアイコンシンボルは色反転して、再生中であることを表示される。　
　また、この発明は、ＣＤＶその他ＣＤ規格のディスクおよび再生装置にも適用することができる。」（段落【００８８】）
　
　これら記載事項を総合し、本願発明の記載ぶりに則って整理すると、引用例２には、次の発明（以下、「引用発明２」という）が記載されている。
「表示一体型タッチパネル１に表示されたウィンドウ上のアイコンシンボル２を指等でタッチする（触れるまたは押す）とタッチセンサで検出され、文字／画像デコーダ兼用コントローラユニット１２５を介してＣＤＶの再生装置の各種動作指令を提供し、再生中の曲のアイコンシンボルは色反転して、再生中であることを表示し、前記指等でタッチする（触れるまたは押す）こととは、アイコンシンボル２が表示された枠５内のいずれかの部分を指等でタッチする（触れるまたは押す）ことであり、また、音量ボリウムつまみ表示７を指でタッチして上または下へスライドさせることであって、該スライドにより音量調節指令が出されるＣＤＶ再生装置。」
　
（引用例３）
（ア）「【請求項１】　同時に複数の処理プログラムを起動可能であるとともに起動中の処理プログラムから所望の処理を切換選択可能なマルチタスク型制御手段（８−６）と、
　起動されている処理プログラム内の現在選択されている処理を画面表示するディスプレイ装置（９）と、
　ディスプレイ上に表示されている画像に対応したデータ入力用項目群を項目入力用ボードに差替え可能に複数頁有し、項目に対応した項目入力用ボードに触れることでその項目を入力可能であり、かつ、前記ディスプレイ上の画像が切り変わる毎に項目群の頁を切り換えるタッチパネル（１６）と
　ディスプレイに表示される画像とタッチパネル（１６）に表示される項目群の頁番号との対応関係を登録する管理テーブル（８−５）と、
　この管理テーブル（８−５）の登録内容を制御する管理テーブル制御手段（１２）と、
　前記管理テーブル（８−５）の登録内容に従ってディスプレイに表示される画像に同期させて前記項目群をタッチパネルに表示する画像−項目群同期表示制御手段（１７）とを備え、
　前記管理テーブル制御手段（１２）は、現在表示中の画像と現在操作中の項目群の頁番号とを対応化する画像−項目群対応化手段（１３）を有するとともに、この画像−項目群対応化手段（１３）で得た画像−項目群対応関係を複数の処理プログラム毎に前記管理テーブル（８−５）に登録する画像−項目群対応関係登録手段（１４）とを有し、
　前記マルチタスク型制御手段（８−６）で画像を他の処理プログラムの画像に切り換えるとき、選択された画像に対応する項目群の頁を前記管理テーブル（８−５）から検索してその頁の項目群をタッチパネル（１６）に表示するように構成したことを特徴とする項目入力ボード制御方式。」（【特許請求の範囲】【請求項１】）
　
　これら記載事項を総合し、本願発明の記載ぶりに則って整理すると、引用例３には、次の発明（以下、「引用発明３」という）が記載されている。
「マルチタスク型制御手段（８−６）の項目に対応した項目入力ボードに触れることでその項目を入力可能である項目入力用ボード制御方式。」
　
４．対比
　本願発明と引用発明１とを対比すると、その構造または機能からみて、引用発明１の「顧客に依って入力される１つまたは複数のコインまたは紙幣に応答して、適正な金銭が入力されたかどうかについて決定し、なおかつ、処理回路に結合されている金銭検出信号を与え、処理回路１２１は、バス１３１に沿ってスピーカ・システム１２９に結合されている音響再生回路１２７を、バス１２４を介して更に制御して、音響出力をユーザーに提供する」は、本願発明の「ユーザからの支払いによって作動され、支払い装置に結合され、」に相当し、以下同様に、「マイクロプロセッサー１２１Ａ」は「マイクロプロセッサ装置」に、「歌曲を演奏し且つ付随するグラフィック・イメージのデータ」は「活用すべきオーディオビジュアル情報」に、「デジタル形態」は「ディジタル形式」に、「大容量データ記憶装置９３」は「大量記憶手段」に、「歌曲を演奏し且つ付随するグラフィック・イメージを表示する」は「マルチメディア領域を作る」に、「ジュークボックス」は「オーディオビジュアル再生システム」に、それぞれ相当する。
　また、引用発明１の「ビジュアル・ディスプレイ１２５」は、本願発明の「映像化ディジタル手段」に相当し、同時に「ビデオモニタ、またはテレビスクリーン」にも相当する。
　そして、引用発明１の「マイクロプロセッサー１２１Ａ」と「大容量データ記憶装置９３」を接続することは、実質的に本願発明において「マイクロプロセッサ装置」が「大量記憶手段」を含むことに相当する。
　また、引用発明１の「キーボード」と、本願発明の「タッチスクリーン」とは、「インターフェース」という概念で共通している。
　
　そこで、本願発明の用語を用いて表現すると、両者は次の点で一致する。
（一致点）
　「ユーザからの支払いによって作動され、支払い装置に結合され、マイクロプロセッサ装置を備え、マイクロプロセッサ装置は一方では、活用すべきオーディオビジュアル情報を圧縮されたデジタル形式で記憶するための大量記憶手段とを含み、他方では、インタフェースを介して映像化ディジタル手段と音声再生ディジタル手段とを制御管理することによりマルチメディア領域を作ることが可能になる、オーディオビジュアル再生システムであって、映像化ディジタル手段はビデオモニタ、またはテレビスクリーンを備え、インターフェースを備えたオーディオビジュアル再生システム。」
　
　そして、両者は次の相違点１、２で相違する。
（相違点１）
　本願発明はインターフェースが「タッチスクリーン」であり、「外部事象に反応し、統合されたツールサービスライブラリのグラフィックモジュールを介してオーディオビジュアル再生システムの動作パラメータの変更を提供するウィンドウまたはフレームのディスプレイを作動する事象として、外部事象を解釈するインタフェースプログラムとを備え、前記外部事象が、タッチスクリーン上のユーザの指の場所とグラフィックモジュールにより表示される少なくとも１つの表示位置との一致を解釈する少なくとも１つの押さえ事象と、記憶手段に動作パラメータを記憶することにより少なくとも１つの動作パラメータの変更を作動するタッチスクリーンからの指の除去を解釈する少なくとも１つのゆるめ事象とを備え」ているのに対し、引用発明はインターフェースが「キーボード」であり、上記その他の発明特定事項を備えていない点。
　
（相違点２）
　本願発明は、「マルチタスクオペレーティングシステム」の「外部事象を解釈するインタフェースプログラム」であるのに対し、引用発明１はマルチタスクオペレーティングシステムであるかどうか明らかでない点。
　
５．相違点の判断
　上記相違点について検討する。
（相違点１について）
　引用発明２の「指等でタッチする（触れるまたは押す）」は、本願発明の「外部事象」に相当し、以下同様に、「タッチセンサで検出され」は「反応し」に、「文字／画像デコーダ兼用コントローラユニット１２５」は「統合されたツールサービスライブラリのグラフィックモジュール」に、「ＣＤＶの再生装置」は「オーディオビジュアル再生システム」に、「各種動作指令」は「動作パラメータの変更」に、「表示一体型タッチパネル１」は「タッチスクリーン」に、それぞれ相当する。
　そして、引用発明２においては、ウィンドウ上のアイコンシンボル２にタッチすれば、色反転して、再生中であることを示すのであるから、「ウィンドウのディスプレイを作動する事象」を備えている。
　また、引用発明２においても、指等のタッチを検出して各種動作指令を提供する以上、「外部事象を解釈するインターフェースプログラム」を備えていることは明らかである。
　次に、引用発明２の「アイコンシンボル２が表示された枠５内のいずれかの部分を指等でタッチする（触れるまたは押す）」は、本願発明の「タッチスクリーン上のユーザの指の場所とグラフィックモジュールにより表示される少なくとも１つの表示位置との一致を解釈する少なくとも１つの押さえ事象」に相当し、以下同様に、「ＣＤＶ再生装置」は「オーディオビジュアル再生システム」に相当する。
　さらに、「音量ボリウムつまみ表示７を指でタッチして上または下へスライドさせることにより音量調節指令が出される」以上、「記憶手段に動作パラメータを記憶することにより少なくとも１つの動作パラメータの変更を作動するタッチスクリーンからの指の除去を解釈する少なくとも１つのゆるめ事象」を備えていることも明らかである。
　してみると、引用発明２は「外部事象に反応し、統合されたツールサービスライブラリのグラフィックモジュールを介してオーディオビジュアル再生システムの動作パラメータの変更を提供するウィンドウまたはフレームのディスプレイを作動する事象として、外部事象を解釈するインターフェースプログラムとを備え、前記外部事象が、タッチスクリーン上のユーザの指の場所とグラフィックモジュールにより表示される少なくとも１つの表示位置との一致を解釈する少なくとも１つの押さえ事象と、記憶手段に動作パラメータを記憶することにより少なくとも１つの動作パラメータの変更を作動するタッチスクリーンからの指の除去を解釈する少なくとも１つのゆるめ事象とを備えるオーディオビジュアル再生システム。」との技術事項を備えている。
　そこで、オーディオビジュアル再生システムのインターフェースとして、引用発明１のキーボードに換えて、引用発明２の「タッチスクリーン」を採用すると共に、上記技術事項を採用して、相違点１に係る本願発明の発明特定事項のようにすることは当業者が容易に想到し得たことである。
　
（相違点２について）
　引用発明３も「マルチタスクオペレーティングシステム」と言え、「項目入力ボードに触れることでその項目を入力可能」である以上、「外部事象を解釈するインタフェースプログラム」を備えていることも明らかである。
　してみると、引用発明３は、「マルチタスクオペレーティングシステムの外部事象を解釈するインタフェースプログラム。」を備えていると言える。
　そこで、引用発明１に、引用発明３が備えている技術的事項を適用して、相違点２に係る本願発明の発明特定事項のようにすることは当業者が容易に想到し得たことである。
　
　そして、本願発明による効果も、引用例１ないし３に記載されたものから当業者が予測し得た程度のものであって、格別のものとはいえない。
　
６．むすび　
　したがって、本願発明は、引用例１ないし３に記載されたものに基づいて、当業者が容易に発明をすることができたものであるので、特許法第２９条第２項の規定により、特許を受けることができない。
　そして、本願の請求項１に係る発明が特許を受けることができないものである以上、その他の請求項に係る発明について検討するまでもなく、本願は拒絶すべきものである。
　よって、結論のとおり審決する。